(57)【特許請求の範囲】
【請求項１】
帯状のプラスチックフィルムの重ね合わせによって形成され、空気が封入された小袋部が前記プラスチックフィルムの貼合部を間に挟んで複数連なっており、容器と容器内に収納した物品との間の隙間に詰めて使用される詰め物部材であって、
前記小袋部が前記貼合部に形成した切断線を境として切り離し可能となっており、
前記貼合部が前記帯状の方向に沿って斜めに延びた左右両側の斜め片部を有した略Ｖ字形に形成され、
前記切断線を境として小袋部を切り離したとき、前記小袋部は左右両側の斜め片部と対応した部分に耳部を有した再使用可能な袋体となることを特徴とする詰め物部材。
【請求項２】
前記袋体は前記耳部側の貼合部と前記小袋部との境目に対し、物入れ用の開口が形成可能となっており、前記左右両側の耳部を結束することにより前記開口を塞ぐことが可能となっていることを特徴とする請求項１記載の詰め物部材。
【発明の詳細な説明】
【技術分野】
【０００１】
本発明は、段ボール等の容器に収納した物品と容器との間の隙間を埋めるために使用される詰め物部材に関する。
【背景技術】
【０００２】
容器内に収納した物品の容器内での移動を抑制したり衝撃を緩和して物品の損傷を防止するため、従来より容器と物品との間に発泡スチロール等からなる粒状や棒状の充填材を充填することが行われているが、充填材が周囲に散乱したり、嵩を小さくできないため処分が不便となっている。このため詰め物部材として、容器と物品との間の隙間の大きさに合わせた嵩調整が可能であることが求められている。
【０００３】
特許文献1には、嵩調整可能な従来の詰め物部材が開示されている。この詰め物部材は、袋状の本体部と、本体部から派生した複数の小袋状の枝状部とによって形成されており、本体部から空気を吹き込むことにより本体部及び枝状部の膨らみ具合を調整するものである。これにより容器と物品との間の隙間の大きさに合わせた嵩調整が可能となっている。
【先行技術文献】
【特許文献】
【０００４】
【特許文献１】特開平１０−２１８２４０号公報
【発明の概要】
【発明が解決しようとする課題】
【０００５】
しかしながら、特許文献1に記載された従来の詰め物部材では、本体部と枝状部とが一体となった構造であり、容器と容器内の物品との間の隙間を埋めるためにだけ使用されるものに過ぎない。このため詰め物部材として使用した後は廃棄処分されるため、材料や資源の無駄となる問題がある。
【０００６】
本発明は上記問題点を考慮してなされたものであり、隙間への詰め物として使用することができるだけでなく、詰め物として使用した後においても簡単に他の機能品として転用して再使用することができ、材料、資源の無駄を防止することが可能な詰め物部材を提供することを目的とする。
【課題を解決するための手段】
【０００７】
本発明の詰め物部材は、帯状のプラスチックフィルムの重ね合わせによって形成され、空気が封入された小袋部が前記プラスチックフィルムの貼合部を間に挟んで複数連なっており、容器と容器内に収納した物品との間の隙間に詰めて使用される詰め物部材であって、前記小袋部が前記貼合部に形成した切断線を境として切り離し可能となっており、前記貼合部が前記帯状の方向に沿って斜めに延びた左右両側の斜め片部を有した略Ｖ字形に形成され、前記切断線を境として小袋部を切り離したとき、前記小袋部は左右両側の斜め片部と対応した部分に耳部を有した再使用可能な袋体となることを特徴とする。
【０００８】
本発明においては、前記袋体は前記耳部側の貼合部と前記小袋部との境目に対し、物入れ用の開口が形成可能となっており、前記左右両側の耳部を結束することにより前記開口を塞ぐことが可能となっていることが好ましい。
【発明の効果】
【０００９】
本発明によれば、空気の封入によって膨らんだ複数の小袋部が容器と物品との間の隙間に詰められて使用されることにより通常の詰め物として機能する。又、切断線によって小袋部を切り離すことにより小袋部が個々に独立した袋体となる。この袋体は耳部を有しており、耳部側の貼合部と小袋部との境目に対し開口を形成し、この開口から小物等を袋体内に入れることにより袋体が収納袋となる。そして、耳部を結束することにより小物の落下等を防止した閉じ袋とすることができる。このような発明では、詰め物として使用した後においても収納袋等の他の機能品として転用して再使用することができ、材料、資源の無駄を防止することが可能となる。
【図面の簡単な説明】
【００１０】
【図１】（Ａ）及び（Ｂ）は本発明の一実施形態の詰め物部材を示す斜視図及び正面図である。
【図２】詰め物部材の使用状態を示す断面図である。
【図３】（Ａ）及び（Ｂ）は切り離した小袋部を示す斜視図及び正面図である。
【図４】袋体としての使用状態の一例を示す斜視図である。
【図５】（Ａ）及び（Ｂ）は本発明の他の実施形態を示す正面図である。
【発明を実施するための形態】
【００１１】
本発明の詰め物部材１は小袋部４が貼合部３を境として複数連なった構造となっている。この詰め物部材１は帯状のプラスチックフィルム２を重ね合わせることにより作成される。
【００１２】
図１は本発明の一実施形態の詰め物部材１を示す。詰め物部材１の作成は帯状のプラスチックフィルムを長さ方向に沿って二つ折りすることによりフィルムを長さ方向に重ね合わせる。プラスチックフィルムとしては、ポリエチレン、ポリプロピレン等のオレフィン樹脂、ポリビニル樹脂、ポリアミド樹脂等の５〜３０μｍ程度の厚さの入手容易な樹脂を用いることにより安価に提供することができる。
【００１３】
そして、重ね合わせたプラスチックフィルムの長さ方向の一側部を連続的にシールしてシール線５を形成することにより筒状の原体とする。この原体に対し、空気を吹き込みながらフィルムを横切ってシール（接合）する貼付部３を長さ方向に対して所定間隔で形成する。これにより空気が封入されて膨らんだ複数の小袋部４が貼合部３を間に挟んで連なった構造となる。小袋部４は応力が作用することにより容易に撓むことができる可撓性を有している。図１（Ａ）は小袋部４が膨らんだ状態の斜視図、（Ｂ）は平面図である。
【００１４】
図２は以上の詰め物部材１の使用状態の一例を示す。段ボール箱等の容器６内に物品７を収納し、物品７と容器６との間の隙間８に詰め物部材１を差し入れる。詰め物部材１は膨らんでいる可撓性の小袋部４が隙間８を埋めるため、物品７を容器６内で固定することができ、物品７の不用意な移動を阻止するだけなく、運搬時の振動や衝撃を緩和して物品７の損傷を防止するように機能する。
【００１５】
図１に示すように、小袋部４の間の貼付部３は、プラスチックフィルム２の帯状の方向９に沿って斜めに延びた左右両側の斜め片部１０、１１によって形成されている。左右両側の斜め片部１０、１１の延設端部（先端部）は合流しており、これによりそれぞれの貼付部３は略Ｖ字形となり、この略Ｖ字形の状態で隣接した小袋部４を仕切っている。
【００１６】
それぞれの貼付部３には、ミシン目等からなる切断線１２が全長に亘って形成されている。切断線１２の形成は貼付部３の形成と同時あるいは貼付部３の形成の後に行うことができる。このように形成した切断線１２を境として詰め物部材１を切ることができ、これにより詰め物部材１の長さ調整を行うことができる。この長さ調整に加えて本実施形態においては、切断線１２は小袋部４を隣接した小袋部４から切り離すために使用される。切り離された小袋部４は詰め物部材１から個々に独立した袋体１５となる。
【００１７】
図３は切断線１２を境にした切り離しによって独立した袋体１５を示し、（Ａ）は膨らんだ状態の斜視図、（Ｂ）は平面図である。袋体１５は膨らんでいる小袋部４と、小袋部４を挟んだ上下端部分（両端部分）に残存した貼合部３とを有している。貼合部３が残存していることにより袋体１５は空気を封入した状態となっており、これにより膨らんだ状態となっている。又、貼合部３における左右両側の斜め片部１０、１１と対応した部分は耳部１６、１７を有している。このような形状となっていることにより袋体１５を他の機能品として再使用することができる。他の機能品としては、小物の収納袋、例えばゴミ袋としての使用例を挙げることができる。
【００１８】
図４は小物の収納袋としての使用例を示す。切断線１２による切り離しによって袋体１５とした後、左右両側の耳部１６、１７における貼合部３（斜め片部１０、１１）と小袋部４との境目２５（図３参照）を破くことにより、この部分に開口１８を形成する。開口１８は貼合部３における一方の斜め片部１０又は１１であっても良く、双方の斜め片部１０及び１１であっても良い。このように形成した開口１８から使用済みティッシュペーパー、使用済み消しゴム、不要な輪ゴミ、その他の小物１９を袋体１５内に入れることにより小物の収納袋とする。そして、左右両側の耳部１６、１７を実線矢印のように結び合わせて開口１８を閉じる。これにより小物１９の落下等を防止した閉じ袋とすることができる。小物１９がゴミ等の場合には、この閉じ袋の状態で廃棄処分でき、衛生的な廃棄を行うことができる。小物１９がゴミ以外の品物の場合、閉じ袋のままの所持や引き出しへの載置や整頓を行うことができる。
【００１９】
このような実施形態では、膨らんでいる複数の小袋部４を容器６と物品７との間の隙間８に詰めることにより通常の詰め物として使用できるのに加えて、切断線１２によって小袋部４を切り離すことにより個々に独立した袋体１５とすることができる。そして袋体１５の耳部１６、１７側の貼合部３と小袋部４との境目２５に開口１８を形成し、この開口１８から小物等を袋体１５内に入れることにより袋体１５を収納袋とすることができ、耳部１６、１７を結束することにより小物の落下等を防止した閉じ袋とすることができる。これにより詰め物として使用した後においても他の機能品として転用して再使用することができる有用性を備えており、材料、資源の無駄を防止することが可能となる。
【００２０】
図５は本発明の別の実施形態を示し、（Ａ）は詰め物部材１Ａの平面図、（Ｂ）は詰め物部材１Ａから独立した袋体１５Ａの平面図である。この実施形態は、小袋部４Ａの間の  貼合部３Ａを形状変更するものである。なお、符号５Ａはプラスチックフィルムの長さ方向の一側部を連続的にシールしたシール線である。
【００２１】
貼合部３Ａにおける左右両側の斜め片部１０Ａ、１１Ａは、第１片部２１、第２片部２３及び第３片部２２によって形成されている。第１片部２１及び第３片部２２は短尺状となって帯状の方向９と直交した水平状となっている。第２片部２３はこれらの片部２１、２３よりも長くなっていると共に、帯状の方向９に沿って斜めに延びることにより斜め片部１０Ａ、１１Ａの大部分を構成している。これにより斜め片部１０Ａ、１１Ａが略Ｖ字形となっている。ミシン目等からなる切断線１２Ａはこの斜め片部１０Ａ、１１Ａの形状に沿って形成される。その他の構成は、図１〜図４に示す実施形態と同様である。従って、切断線１２Ａによって切り離された袋体１５Ａは前記実施形態と同様に左右両側に耳部１６Ａ、１７Ａを有している。
【００２２】
図５の実施形態においても、切断線１２Ａによって小袋部４Ａを切り離すことにより個々に独立した袋体１５Ａとすることができ、袋体１５Ａの耳部１６Ａ、１７Ａ側の貼合部３Ａと小袋部４Ａとの境目に開口を形成し、この開口から小物等を袋体１５Ａ内に入れることにより袋体１５Ａを収納袋とすることができ、耳部１６Ａ、１７Ａを結束することにより小物の落下等を防止した閉じ袋とすることができる。従って詰め物として使用した後においても他の機能品として転用して再使用することができる。
【符号の説明】
【００２３】
１、 １Ａ  詰め物部材
２  プラスチックフィルム
３、 ３Ａ  貼合部
４、 ４Ａ  小袋部
６  容器
７  物品
８  隙間
９  帯状の方向
１０、１１、１０Ａ、１１Ａ  斜め片部
１２  切断線
１６、１７、１６Ａ、１７Ａ  耳部
１８  開口
２５  境目 
【図１】
0006468516.tif 000002
【図２】
0006468516.tif 000003
【図３】
0006468516.tif 000004
【図４】
0006468516.tif 000005
【図５】
0006468516.tif 000006